(57)【要約】【課題】シャワーヘッドを大型化・重量化することなくその吐出部から加工水を吐出させることができ、さらに、加工水を形成するための剤の無駄な消耗を抑えることができるシャワーおよびシャワーアダプタを提供する。【解決手段】シャワーホース１およびこのシャワーホース１の下流側に接続されるシャワーヘッド２を備えたシャワーＤであって、前記シャワーホース１とシャワーヘッド２との間に、シャワーホース１からシャワーヘッド２へと流れる湯水の流路の一部を形成し、かつ可溶性の固形体４を収容する収容部５を設けた。【選択図】      図１
2004209317.tif 000002
【特許請求の範囲】
【請求項１】
シャワーホースおよびこのシャワーホースの下流側に接続されるシャワーヘッドを備えたシャワーであって、前記シャワーホースとシャワーヘッドとの間に、シャワーホースからシャワーヘッドへと流れる湯水の流路の一部を形成し、かつ可溶性の固形体を収容する収容部を設けたことを特徴とするシャワー。
【請求項２】
開閉自在な扉を有し、この扉の開閉により、前記固形体を収容部内に投入できる投入状態と、前記シャワーホースからシャワーヘッドへと湯水を流せる使用可能状態とに切り換わるように構成した請求項１に記載のシャワー。
【請求項３】
湯水の流路の一部を形成し、かつ可溶性の固形体を収容する収容部を吐出部の上流に備えたシャワーであって、開閉自在な扉を有し、この扉の開閉により、前記固形体を収容部内に投入できる投入状態と、前記シャワーホースからシャワーヘッドへと湯水を流せる使用可能状態とに切り換わるように構成したことを特徴とするシャワー。
【請求項４】
シャワーホースと、このシャワーホースに着脱自在なシャワーヘッドとの間に接続されるシャワーアダプタであって、シャワーホースからシャワーヘッドへと流れる湯水の流路の一部を形成し、かつ可溶性の固形体を収容する収容部を備えたことを特徴とするシャワーアダプタ。
【請求項５】
開閉自在な扉を有し、この扉の開閉により、前記固形体を収容部内に投入できる投入状態と、前記シャワーホースからシャワーヘッドへと湯水を流せる使用可能状態とに切り換わるように構成した請求項４に記載のシャワーアダプタ。
【発明の詳細な説明】
【０００１】
【発明の属する技術分野】
本発明は、例えば、浴室、シャワールームなどに設けられるシャワーおよびシャワーアダプタに関する。
【０００２】
【従来の技術】
【特許文献１】特開２００１−０００３５１
従来のシャワーヘッドとして、上記特許文献１に示すように、ケースを内蔵し、このケース内にビタミンＣや亜硫酸カルシウムなどの剤を収容させておき、シャワーホースからの湯水（以下、原水という）を前記剤に接触させ、原水中に含まれる塩素を無害化した湯水（以下、加工水という）を作成した後、この加工水を吐出部より吐出するようにしたものがある。そして、上記の構成からなるシャワーヘッドでは、原水に含まれる塩素を無害化してなる加工水を使用できるため、塩素を含んだ原水の使用により、その使用者の肌が荒れたり髪が傷んだりすることを防止できるという効果が得られる。
【０００３】
また、前記ケースに収容する剤の種類を適宜に選択することにより、吐出する湯水（加工水）に、芳香を持たせたり、ビタミンやマイナスイオンなどを含ませたりすることも可能である。
【０００４】
【発明が解決しようとする課題】しかし、上記シャワーヘッドでは、内蔵する前記ケースの出し入れに手間がかかることから、通常、一度セットしたケースの取り出しは、ケース内の剤が消耗されてしまうまで行われず、さらに、前記シャワーヘッドは、吐出する湯水を原水と加工水とに切り換え可能な構造を有していなかったことから、例えば、シャワーヘッドから湯水を吐出させて浴室，シャワールームの掃除を行う場合など、前記加工水ではなく原水をそのまま用いたい場合にも、加工水を使うこととなり、前記ケース内の剤が無駄に消耗されてしまうこととなっていた。
【０００５】
また、前記シャワーヘッドでは、前記ケースの取り出し回数を減らすために、ケースを取り出して剤を新たに投入するという作業を長期間（例えば、数週間から数カ月）行わなくともよい程度の大量の剤を前記ケース内に収容させるように構成していたことから、ケースが大きくなり、このケースを内蔵する前記シャワーヘッド自体も大型化・重量化し、その外径が大きくなって扱いにくくなるという問題があった。
【０００６】
本発明は上述の事柄に留意してなされたもので、その目的は、シャワーヘッドを大型化・重量化することなくその吐出部から加工水を吐出させることができ、さらに、加工水を形成するための剤の無駄な消耗を抑えることができるシャワーおよびシャワーアダプタを提供することである。
【０００７】
【課題を解決するための手段】
上記目的を達成するために、本発明のシャワーは、シャワーホースおよびこのシャワーホースの下流側に接続されるシャワーヘッドを備えたシャワーであって、前記シャワーホースとシャワーヘッドとの間に、シャワーホースからシャワーヘッドへと流れる湯水の流路の一部を形成し、かつ可溶性の固形体を収容する収容部を設けた（請求項１）。
【０００８】
また、開閉自在な扉を有し、この扉の開閉により、前記固形体を収容部内に投入できる投入状態と、前記シャワーホースからシャワーヘッドへと湯水を流せる使用可能状態とに切り換わるように構成したとしてもよい（請求項２）。
【０００９】
さらに、湯水の流路の一部を形成し、かつ可溶性の固形体を収容する収容部を吐出部の上流に備えたシャワーであって、開閉自在な扉を有し、この扉の開閉により、前記固形体を収容部内に投入できる投入状態と、前記シャワーホースからシャワーヘッドへと湯水を流せる使用可能状態とに切り換わるように構成したとしてもよい（請求項３）。
【００１０】
本発明のシャワーアダプタは、シャワーホースと、このシャワーホースに着脱自在なシャワーヘッドとの間に接続されるシャワーアダプタであって、シャワーホースからシャワーヘッドへと流れる湯水の流路の一部を形成し、かつ可溶性の固形体を収容する収容部を備えた（請求項４）。
【００１１】
また、開閉自在な扉を有し、この扉の開閉により、前記固形体を収容部内に投入できる投入状態と、前記シャワーホースからシャワーヘッドへと湯水を流せる使用可能状態とに切り換わるように構成したとしてもよい（請求項５）。
【００１２】
上記の構成により、シャワーヘッドを大型化・重量化することなくその吐出部から加工水を吐出させることができ、さらに、加工水を形成するための剤の無駄な消耗を抑えることができるシャワーおよびシャワーアダプタを提供することが可能となる。
【００１３】
【発明の実施の形態】
以下、この発明の実施例を、図を参照しながら説明する。
図１は、本発明の一実施例に係るシャワーＤの構成を概略的に示す分解斜視図、図２（Ａ）および（Ｂ）は、前記シャワーＤに用いられるシャワーアダプタ３の構成を概略的に示す縦断面図および横断面図である。
シャワーＤは、シャワーホース１と、このシャワーホース１の下流側に着脱自在に接続されるシャワーヘッド２と、前記シャワーホース１およびシャワーヘッド２の間に設けられるシャワーアダプタ３とを備え、前記シャワーホース１とシャワーヘッド２との間に設けられるシャワーアダプタ３には、シャワーホース１からシャワーヘッド２へと流れる湯水の流路の一部を形成し、かつ可溶性の固形体４を収容する収容部５が設けられている。
【００１４】
前記シャワーホース１の下流部には、接続部分（例えば、雌ねじ部）１ａが設けられている。
【００１５】
前記シャワーヘッド２の上流部には、前記シャワーホース１の下流部に設けられた前記接続部分１ａに着脱自在に接続可能な接続部分（例えば、雄ねじ部）２ａが設けられている。また、シャワーヘッド２の下流部には、湯水を吐出するための吐出部２ｂが設けられている。
【００１６】
前記シャワーアダプタ３は、ほぼ筒状（円筒状）の部材であり、その上流部に、前記シャワーホース１の下流部に設けられた接続部分１ａに着脱自在に接続可能な接続部分（例えば、雄ねじ部）３ａを有し、その下流部に、前記シャワーヘッド１の上流部に設けられた接続部分２ａに着脱自在に接続可能な接続部分（例えば、雌ねじ部）３ｂを有している。
【００１７】
そして、前記シャワーアダプタ３は、前記接続部分３ａと接続部分３ｂとの間に、前記収容部５を有している。
【００１８】
前記収容部５は、開口６ａを有する筒部分６と、前記開口６ａを閉塞可能に設けられた扉７と、前記筒部分６の内部に収容され、前記扉７の内側に固定される小筒部材８とを備えている。
【００１９】
前記筒部分６は、ほぼ円筒状をしており、その内部に、前記シャワーホース１からシャワーヘッド２へと流れる湯水の流路が形成される。また、筒部分６の上側（下流側）には、前記収容部５内に収容された固形体４がシャワーヘッド２の下流側へと流れることを防止するための網状体９が配置されている。
【００２０】
前記扉７は、横断面ほぼ円弧状をしており、その一端部には、前記筒部分６に回動可能に保持される軸支部１０が設けられているとともに、他端部には、前記筒部分６に設けられた被係止部１１に係止される係止部１２が設けられている。そして、上記の構成からなる扉７は、前記開口６ａを閉塞する状態と開放する状態とに自在に変更可能、すなわち開閉自在となっており、この開閉をワンタッチで容易に行えるのである。
【００２１】
前記軸支部１０は、扉７の一端部を上下方向に貫通する貫通孔１０ａ内に収容され、一部が貫通孔１０ａの外側に突出する２つのピン１０ｂ，１０ｂと、これら２つのピン１０ｂ，１０ｂをそれぞれ上方（貫通孔１０ａの一端側）および下方（貫通孔１０ａの他端側）に付勢する付勢手段としてのバネ１０ｃとを有している。そして、前記貫通孔１０ａの外側に突出したピン１０ｂ，１０ｂの一部はそれぞれ、前記筒部分６の開口６ａの周縁部に設けられた凹入部６ｂ，６ｂに差し込まれた状態となる。
【００２２】
前記小筒部材８は、ほぼ円筒状の側壁部分８ａと、この側壁部分８ａの下端部に連設される網状（例えば、クモの巣状）の底部分８ｂとを備え、前記底部分８ｂには、水を通過し、かつ固形体４を通過させない大きさの隙間８ｃが複数設けられている。また、小筒部材８の上側および下側にはそれぞれ、シール部材８ｄが設けられている。
【００２３】
前記固形体４は、例えば、前記シャワーホース１からの原水に溶けることで、原水中に含まれる塩素を無害化してなる加工水を形成するためのビタミンＣや亜硫酸カルシウムなどの剤からなるものであってもよく、前記原水に溶けることで、原水に芳香を持たせた加工水や、ビタミンやマイナスイオンなどを添加・含有させた加工水を形成するための剤からなるものであってもよく、前記原水に溶けることで、浴室やシャワールーム内あるいはシャワーヘッド内の洗浄に適した洗浄機能を有する加工水を形成するための剤（洗浄剤）からなるものであってもよい。
【００２４】
そして、前記固形体４は、平面視ほぼ円形状をしており、その直径が前記小筒部材８の内径とほぼ同じかその内径より小さくなるように構成されている。
【００２５】
上記の構成からなるシャワーＤでは、前記扉７の開閉により、前記固形体４を収容部５内に投入できる投入状態と、前記シャワーホース１からシャワーヘッド２へと湯水を流せる使用可能状態とに切り換わる。
【００２６】
すなわち、前記被係止部１１に対する係止部１２の係止を解除し、前記扉７を回動させて開くと、この扉７の内側に固定されている前記小筒部材８が筒部分６の内部に収容されていた状態から外部に出された前記投入状態となり、前記固形体４を小筒部材８内に収容（投入）することが可能となる。そして、固形体４を小筒部材８内に収容（投入）した後、前記扉７を回動させて閉じると、前記シャワーホース１からシャワーヘッド２へと湯水を流せる使用可能状態となるのである。
【００２７】
上述のように、前記シャワーヘッド２の上流に備えられた収容部５に固形体４を収容し、この状態で湯水を前記シャワーヘッド２の吐出部２ｂから吐出させる操作を行うと、シャワーホース１からの原水が前記収容部５を通過することで前記加工水となり、この加工水が前記シャワーヘッド２内を経て吐出部２ｂから吐出されることとなる。
【００２８】
また、前記シャワーホース１からシャワーヘッド２を経て吐出部２ｂから吐出される湯水の温度や流量によって変動するが、前記固形体４は、前記吐出部２ｂからの湯水の吐出をおおよそ数十分（例えば、１０分程度）行うと全て溶けてなくなるように、一回の入浴における使用でほぼ使い切れる使い切りタイプとなるように構成されている。
【００２９】
上記の構成からなるシャワーＤおよびシャワーアダプタ３では、シャワーヘッド２を大型化・重量化することなくその吐出部２ｂから加工水を吐出させることができ、さらに、加工水を形成するための固形体（剤）４の無駄な消耗を抑えることができる。
【００３０】
すなわち、上記の構成からなるシャワーＤおよびシャワーアダプタ３では、従来のように、シャワーヘッドに固形体（剤）４を収容したケースを内蔵させるのではなく、シャワーヘッド２とは別の部分（シャワーアダプタ３）に前記固形体４を収容する収容部５を設けることから、シャワーヘッド２自体が大型化・重量化し、その外径が大きくなって扱いにくくなるということがない。
【００３１】
そして、前記収容部５に収容する固形体４を適宜に選択することで、所望の加工水を使用することができ、これにより、原水だけを吐出するシャワーＤに付加価値を与えることが可能となる。また、前記加工水を使いたいときには固形体４を収容部５に投入すればよく、原水を使いたいときには固形体４を投入しなければよいだけであることから、前記原水と加工水との切り換えを容易に行うことができ、また、前記切り換えを容易に行えるという機能をシンプルな構成によって得られるため、従来の前記付加価値を有するシャワーヘッドに比して、製造コストの低減化をも図ることが可能となる。
【００３２】
また、前記シャワーＤおよびシャワーアダプタ３では、前記収容部５に収容する固形体４を長期間ではなく短時間で完全に消耗される使い切りタイプとしてあるため、原水をそのまま用いたい場合にも加工水を長時間使うこととなり、大量の剤（固形体４）を無駄に消耗（消費）してしまう従来のシャワーヘッドに比して、前記固形体４の上記のような無駄な消耗（消費）をより抑えることが可能となる。
【００３３】
さらに、前記シャワーＤおよびシャワーアダプタ３では、前記扉７の開閉により、前記固形体４を収容部５内に投入できる投入状態と、前記シャワーホース１からシャワーヘッド２へと湯水を流せる使用可能状態とに切り換わるのであり、加えて、前記扉７の開閉をワンタッチで行えるように構成してあることから、新たに固形体４を投入するという操作を非常に容易に行うことが可能である。
【００３４】
また、上記の構成からなるシャワーアダプタ３では、シャワーホース１とシャワーヘッド２が着脱自在となっているタイプのシャワーに対して容易に取り付けることができる。
【００３５】
なお、上記実施例において、前記収容部５に、外部から収容部５の内部を見ることを可能とする窓（図示せず）を設け、前記収容部５内に収容された固形体４の残存量を外部から容易に判断することができるように構成してもよい。
【００３６】
【発明の効果】
上記の構成からなる本発明によれば、シャワーヘッドを大型化・重量化することなくその吐出部から加工水を吐出させることができ、さらに、加工水を形成するための剤の無駄な消耗を抑えることができるシャワーおよびシャワーアダプタを提供することができる。
【図面の簡単な説明】
【図１】本発明の一実施例に係るシャワーの構成を概略的に示す分解斜視図である。
【図２】（Ａ）および（Ｂ）は、前記シャワーに用いられるシャワーアダプタの構成を概略的に示す縦断面図および横断面図である。
【符号の説明】
１…シャワーホース、２…シャワーヘッド、３…シャワーアダプタ、４…固形体、５…収容部、Ｄ…シャワー。
【図１】
2004209317.tif 000003
【図２】
2004209317.tif 000004